(57)【要約】      （修正有）【課題】折畳まれた傘骨本体が主ロッドと完全に接触可能な小体積で丈夫な逆折自動傘を提供する。【解決手段】上端と底端とを有する主ロッド１０と、主ロッドに嵌め設けられており、折畳位置と展開位置との間にスライド可能であり、折畳位置に選択的に固定可能である作用スライドブッシュと、主ロッドに嵌め設けられており、上端と作用スライドブッシュとの間に位置する連接スライドブッシュ３０と、主ロッドに嵌め設けられており、両端が連接スライドブッシュと作用スライドブッシュとにそれぞれ当接する圧縮バネ４０と、中央が作用スライドブッシュに固定されている第１傘布５０と、中央が上端に固定されている第２傘布６０と、上端と連接スライドブッシュとに連接されており、第１傘布と第２傘布との間に位置する傘骨本体と、スライドユニットと連接ユニットとを有する引き移動構造８０と、を含む。【選択図】図３
0003203243.tif 000002
【実用新案登録請求の範囲】
【請求項１】
上端と、底端と、を有する主ロッドと、
前記主ロッドに嵌め設けられており、折畳位置と展開位置との間にスライド可能であり、前記折畳位置に選択的に固定可能である作用スライドブッシュと、
前記主ロッドに嵌め設けられており、前記上端と前記作用スライドブッシュとの間に位置する連接スライドブッシュと、
前記主ロッドに嵌め設けられており、その両端が前記連接スライドブッシュと前記作用スライドブッシュとにそれぞれ当接する圧縮バネと、
その中央が前記作用スライドブッシュに固定されている第１傘布と、
その中央が前記上端に固定されている第２傘布と、
前記上端と前記連接スライドブッシュとに連接されており、前記第１傘布と前記第２傘布との間に位置する傘骨本体と、
スライドユニットと、連接ユニットと、を有し、前記スライドユニットは前記傘骨本体にスライド可能に設けられており、前記連接ユニットの両端は、それぞれ前記スライドユニットと前記作用スライドブッシュとに枢着されており、前記作用スライドブッシュが前記折畳位置に位置するときには、前記傘骨本体が前記上端へ折畳まれ、前記第１傘布と前記第２傘布とが折畳まれ、前記スライドユニットが前記主ロッドへスライドして、前記連接ユニットの前記傘骨本体に枢着する位置が前記主ロッドへスライド可能である引き移動構造と、を含むことを特徴とする、
逆折自動傘。
【請求項２】
前記傘骨本体は複数の傘骨を有し、これらの前記傘骨は、前記第１傘布と前記第２傘布との間に環設されており、それぞれ第１折ロッドと第２折ロッドとを有し、前記第１折ロッドは、一端が前記連接スライドブッシュに枢着されており、他端が前記第１傘布と前記第２傘布とのエッジに連接されており、前記第２折ロッドは、一端が前記上端に枢着されており、他端が前記第１折ロッドの中段に枢着されており、前記スライドユニットは複数のスライド円筒を有し、前記スライド円筒は前記第１折ロッドにスライド可能に設けられており、前記連接ユニットは、前記スライド円筒に対応する連接ロッドを有し、前記連接ロッドの両端は、それぞれ前記スライド円筒と前記作用スライドブッシュとに枢着されていることを特徴とする、請求項１に記載の逆折自動傘。
【請求項３】
前記第１折ロッドは、枢着端と、固定端と、前記枢着端と前記固定端との間に設けられている枢着部と、を有し、前記枢着端は前記連接スライドブッシュに枢着されており、前記固定端は、前記第１傘布と前記第２傘布とのエッジに連接されており、前記枢着部は、前記第２折ロッドを枢着するためのものであり、前記スライド円筒は、前記枢着部と前記枢着端との間にスライド可能に設けられていることを特徴とする、請求項２に記載の逆折自動傘。
【請求項４】
前記枢着端は止め部を有し、前記止め部は前記固定端へ徐々に縮径し、前記作用スライドブッシュが前記折畳位置に位置するときには、前記スライド円筒が前記止め部を嵌め、前記作用スライドブッシュが前記展開位置に位置するときには、前記スライド円筒が前記止め部から離脱することを特徴とする、請求項３に記載の逆折自動傘。
【請求項５】
前記連接スライドブッシュの前記上端に向く一端には、より大きい直径を有する止め縁が設けられており、前記傘骨本体は前記止め縁に枢着されており、前記圧縮バネの両端は、それぞれ前記止め縁と前記作用スライドブッシュとに当接し、前記圧縮バネの圧縮されていないときの長さは、前記連接スライドブッシュの長さより大きいことを特徴とする、請求項１に記載の逆折自動傘。
【考案の詳細な説明】
【技術分野】
【０００１】
本考案は、傘に関し、特に、逆折自動傘に関するものである。
【背景技術】
【０００２】
市販している逆折傘は、主ロッドと、スライドブッシュと、第１傘布と、第２傘布と、傘骨本体と、を有する。スライドブッシュを折畳位置に位置するときには、傘骨本体が主ロッドの上端へ折畳まれ、第１傘布と第２傘布とが折畳まれる。このとき、第１傘布と第２傘布とは、下方から上方へ折畳まれるため、雨水が付着されている第２傘布が第１傘布内に位置する。これにより、雨水が第２傘布から垂れることを防止可能である。
【０００３】
一方、市場の要請により、あるメーカーは従来の逆折傘を逆折自動傘に改良した。しかしながら、このような逆折自動傘を折畳む場合には、傘骨本体を主ロッドの上端へ折畳むときに、傘骨本体が主ロッドに完全に接触できないことがよくある。これにより、折畳まれた傘の全体の体積が大きすぎとなり、傘骨本体が断裂しやすい。
【考案の概要】
【考案が解決しようとする課題】
【０００４】
本考案の主な目的は、連接ユニットにより、作用スライドブッシュが傘骨本体にスライド可能に設けられているスライドユニットと連接し、これにより、折畳まれた傘骨本体が主ロッドと完全に接触可能な逆折自動傘を提供することにある。
【課題を解決するための手段】
【０００５】
本考案の逆折自動傘は、上端と、底端と、を有する主ロッドと、主ロッドに嵌め設けられており、折畳位置と展開位置との間にスライド可能であり、折畳位置に選択的に固定可能である作用スライドブッシュと、主ロッドに嵌め設けられており、上端と作用スライドブッシュとの間に位置する連接スライドブッシュと、主ロッドに嵌め設けられており、その両端が連接スライドブッシュと作用スライドブッシュとにそれぞれ当接する圧縮バネと、その中央が作用スライドブッシュに固定されている第１傘布と、その中央が上端に固定されている第２傘布と、上端と連接スライドブッシュとに連接されており、第１傘布と第２傘布との間に位置する傘骨本体と、スライドユニットと、連接ユニットと、を有し、スライドユニットは傘骨本体にスライド可能に設けられており、連接ユニットの両端は、それぞれスライドユニットと作用スライドブッシュとに枢着されており、作用スライドブッシュが折畳位置に位置するときには、傘骨本体が上端へ折畳まれ、第１傘布と第２傘布とが折畳まれ、スライドユニットが主ロッドへスライドして、連接ユニットの傘骨本体に枢着する位置が主ロッドへスライド可能である引き移動構造と、を含むことを特徴とする。
【０００６】
本考案の逆折自動傘は、傘骨本体は複数の傘骨を有し、これらの傘骨は、第１傘布と第２傘布との間に環設されており、それぞれ第１折ロッドと第２折ロッドとを有し、第１折ロッドは、一端が連接スライドブッシュに枢着されており、他端が第１傘布と第２傘布とのエッジに連接されており、第２折ロッドは、一端が上端に枢着されており、他端が第１折ロッドの中段に枢着されており、スライドユニットは複数のスライド円筒を有し、スライド円筒は第１折ロッドにスライド可能に設けられており、連接ユニットは、スライド円筒に対応する連接ロッドを有し、連接ロッドの両端は、それぞれスライド円筒と作用スライドブッシュとに枢着されていることを特徴とする。
【０００７】
本考案の逆折自動傘は、第１折ロッドは、枢着端と、固定端と、枢着端と固定端との間に設けられている枢着部と、を有し、枢着端は連接スライドブッシュに枢着されており、固定端は、第１傘布と第２傘布とのエッジに連接されており、枢着部は、第２折ロッドを枢着するためのものであり、スライド円筒は、枢着部と枢着端との間にスライド可能に設けられていることを特徴とする。
【０００８】
本考案の逆折自動傘は、枢着端は止め部を有し、止め部は固定端へ徐々に縮径し、作用スライドブッシュが折畳位置に位置するときには、スライド円筒が止め部を嵌め、作用スライドブッシュが展開位置に位置するときには、スライド円筒が止め部から離脱することを特徴とする。
【０００９】
本考案の逆折自動傘は、連接スライドブッシュの上端に向く一端には、より大きい直径を有する止め縁が設けられており、傘骨本体は止め縁に枢着されており、圧縮バネの両端は、それぞれ止め縁と作用スライドブッシュとに当接し、圧縮バネの圧縮されていないときの長さは、連接スライドブッシュの長さより大きいことを特徴とする。
【考案の効果】
【００１０】
本考案の逆折自動傘は、傘骨本体を主ロッドの上端へ折畳んだ後、傘骨本体が主ロッドと完全に接触可能であり、折畳まれた傘の全体の体積を減少可能であり、傘骨本体の不完全な折畳みによる断裂を回避可能であるという効果を有する。
【図面の簡単な説明】
【００１１】
【図１】本考案の一実施形態を示す外観図であって、作用ブッシュが展開位置に位置する状態を示す。
【図２】図１を別の視点から見た斜視図である。
【図３】本考案に係る第２傘布が主ロッドから取外された状態を示す斜視図である。
【図４】本考案の一実施形態の一部を示す斜視図である。
【図５】図４の一部を示す拡大図である。
【図６】本考案に係る作用ブッシュが展開位置に位置する状態を示す側面図である。
【図７】本考案に係る作用ブッシュが折畳位置に位置する状態を示す側面図である。
【考案を実施するための形態】
【００１２】
以下、本考案の実施の形態を図面に基づいて説明する。
【００１３】
図１から図７を参照する。本考案に係る逆折自動傘１００は、主ロッド１０と、作用スライドブッシュ２０と、連接スライドブッシュ３０と、圧縮バネ４０と、第１傘布５０と、第２傘布６０と、傘骨本体７０と、引き移動構造８０と、を含む。
【００１４】
主ロッド１０は、上端１１と、底端１２と、を有する。底端１２にハンドル１３が設けられている。
【００１５】
作用スライドブッシュ２０は、主ロッド１０に嵌め設けられており、折畳位置と展開位置との間にスライド可能であり、展開位置に位置するときに、主ロッド１０の上端１１に近接し、折畳位置に位置するときに、底端１２に近接する。
作用スライドブッシュ２０は、主ロッド１０の上端１１に向く連接端２１と、底端１２に向く握り端２２と、を有する。主ロッド１０の底端１２に近接する箇所には、係り部材１４と開閉ボタン１５とが設けられている。作用スライドブッシュ２０が折畳位置に位置するときには、開閉ボタン１５により、係り部材１４が作用スライドブッシュ２０の内縁と係止することの有無を制御可能である。これにより、作用スライドブッシュ２０を折畳位置に選択的に固定可能である。
【００１６】
連接スライドブッシュ３０は、主ロッド１０に嵌め設けられており、主ロッド１０の上端１１と作用スライドブッシュ２０との間に位置する。連接スライドブッシュ３０の外径は、作用スライドブッシュ２０の内径より小さい。連接スライドブッシュ３０の上端１１に向く一端には、より大きい直径を有する止め縁３１が設けられている。
【００１７】
圧縮バネ４０は、連接スライドブッシュ３０に嵌め設けられている。圧縮バネ４０の圧縮されていないときの長さは、連接スライドブッシュ３０の長さより大きい。圧縮バネ４０の両端は、図５に示すように、それぞれ連接スライドブッシュ３０の止め縁３１と作用スライドブッシュ２０の連接端２１とに当接する。
【００１８】
第１傘布５０は、その中央が作用スライドブッシュ２０の連接端２１に固定されている。第１傘布５０の主ロッド１０の底端１２に近接する箇所には、図２に示すように、タイバンド５１が設けられている。
【００１９】
第２傘布６０は、その中央が主ロッド１０の上端１１に固定されている。
【００２０】
傘骨本体７０は、上端１１と連接スライドブッシュ３０とに連接されており、第１傘布５０と第２傘布６０との間に位置する。本実施形態では、傘骨本体７０が複数の傘骨を有し、これらの傘骨は、第１傘布５０と第２傘布６０との間に環設されている。
傘骨は、第１折ロッド７１と第２折ロッド７２とを有する。第１折ロッド７１は、枢着端７３と、固定端７４と、枢着端７３と固定端７４との間に設けられている枢着部７５と、を有する。枢着端７３は、図５に示すように、連接スライドブッシュ３０の止め縁３１に枢着されている。固定端７４は、図６に示すように、第１傘布５０と第２傘布６０とのエッジに連接されている。第２折ロッド７２は、一端が主ロッド１０の上端１１に枢着されており、他端が枢着部７５に枢着されている。
【００２１】
引き移動構造８０は、スライドユニットと、連接ユニットと、を有する。前記スライドユニットは複数のスライド円筒８１を有する。スライド円筒８１は第１折ロッド７１にスライド可能に設けられている。スライド円筒８１は、第１折ロッド７１の枢着部７５と枢着端７３との間にスライド可能に設けられている。前記連接ユニットは、スライド円筒８１に対応する連接ロッド８２を有する。連接ロッド８２の両端は、それぞれスライド円筒８１と作用スライドブッシュ２０の連接端２１とに枢着されている。連接ロッド８２は、スライド円筒８１の固定端７４に近接する一端に枢着されている。
【００２２】
第１折ロッド７１の枢着端７３は止め部７８を有する。止め部７８は固定端７４へ徐々に縮径する。作用スライドブッシュ２０が折畳位置に位置するときに、スライド円筒８１は、図７に示すように、枢着端７３へスライドして、止め部７８を嵌める。作用スライドブッシュ２０が展開位置に位置するときに、スライド円筒８１は、図６に示すように、固定端７４へスライドし、止め部７８から離脱する。
【００２３】
ユーザが傘を折畳みたいときには、手で作用スライドブッシュ２０を展開位置から折畳位置にスライドすることが必要である。このとき、第１折ロッド７１と第２折ロッド７２とが連動されて、傘骨本体７０が主ロッド１０の上端１１へ折畳まれる。これにより、図７に示すように、第１傘布５０と第２傘布６０とは折畳まれる。そしてスライド円筒８１は、連接ロッド８２と作用スライドブッシュ２０とに駆動されて、第１折ロッド７１の枢着端７３へスライドして、止め部７８を嵌める。このとき、圧縮バネ４０は、連接スライドブッシュ３０と作用スライドブッシュ２０とに押付けられて圧縮状態にあり、作用スライドブッシュ２０が係り部材１４に係止されて折畳位置に固定する。
【００２４】
ユーザが傘を展開したいときには、開閉ボタン１５を押圧すると、係り部材１４の作用スライドブッシュ２０に対する係止が解放されて、圧縮バネ４０の弾力により、連接スライドブッシュ３０が押えられて、作用スライドブッシュ２０が折畳位置から展開位置に自動的にスライドする。このとき、第１折ロッド７１と第２折ロッド７２とが連動されて、傘骨本体７０が主ロッド１０の底端１２へ展開される。これにより、図１及び図６に示すように、第１傘布５０と第２傘布６０とは展開される。そしてスライド円筒８１は、固定端７４へスライドし、止め部７８から離脱する。
【００２５】
これにより、本実施形態では、連接ロッド８２により、作用スライドブッシュ２０が第１折ロッド７１にスライド可能に設けられているスライド円筒８１と連接する。
作用スライドブッシュ２０が展開位置から折畳位置にスライドするときには、スライド円筒８１が駆動されて第１折ロッド７１の枢着端７３へスライドするため、連接ロッド８２の第１折ロッド７１に枢着する位置が主ロッド１０へ相対的に移動する。これにより、傘骨本体７０を主ロッド１０の上端１１へ折畳んだ後、傘骨本体７０が主ロッド１０と完全に接触可能であり、折畳まれた逆折自動傘１００の全体の体積を減少可能であり、傘骨本体７０の不完全な折畳みによる断裂を回避可能である。
【００２６】
本考案は、逆折自動傘に適用することができる。
【符号の説明】
【００２７】
１０  主ロッド
１１  上端
１２  底端
１３  ハンドル
１４  係り部材
１５  開閉ボタン
２０  作用スライドブッシュ
２１  連接端
２２  握り端
３０  連接スライドブッシュ
３１  止め縁
４０  圧縮バネ
５０  第１傘布
５１  タイバンド
６０  第２傘布
７０  傘骨本体
７１  第１折ロッド
７２  第２折ロッド
７３  枢着端
７４  固定端
７５  枢着部
７８  止め部
８０  引き移動構造
８１  スライド円筒
８２  連接ロッド
１００  逆折自動傘
【図１】
0003203243.tif 000003
【図２】
0003203243.tif 000004
【図３】
0003203243.tif 000005
【図４】
0003203243.tif 000006
【図５】
0003203243.tif 000007
【図６】
0003203243.tif 000008
【図７】
0003203243.tif 000009